(57)【特許請求の範囲】
【請求項１】
レンズにより読み取られる像を照らすためのものであり、前記レンズの周囲を部分的に取り囲む円弧状に形成された照明装置であって、
前記レンズを取り囲む所定の円弧を中心としてジグザグに配置された複数の光源を備えたことを特徴とする照明装置。
【請求項２】
前記複数の光源を支持する支持ボードを備え、
前記複数の光源は、前記支持ボードからの垂線に対して所定の角度を持って支持されていることを特徴とする請求項１に記載の照明装置。
【請求項３】
前記複数の光源を支持する支持ボードを備え、
前記複数の光源のうちのいくつかの光源は、前記支持ボードからの垂線に対して所定の角度を持って支持されることにより前記円弧の内側に向けて傾斜し、
前記複数の光源のうちの残りの光源は、前記支持ボードからの垂線に対して所定の角度を持って支持されることにより前記円弧の外側に向けて傾斜していることを特徴とする請求項１に記載の照明装置。
【請求項４】
レンズにより読み取られる像を照らすためのものであり、前記レンズの周囲を部分的に取り囲む円弧状に形成された照明装置であって、
前記レンズを取り囲む第１の円弧上に位置する複数の光源と、
前記第１の円弧と中心同一で前記第１の円弧の半径より大きい半径の第２の円弧上に位置する複数の光源と、
を備えたことを特徴とする照明装置。
【請求項５】
前記第１の円弧上に位置する複数の光源は、前記第２の円弧上に位置する複数の光源から引かれた半径上から外れた場所に位置することを特徴とする請求項４に記載の照明装置。
【請求項６】
前記第１及び第２の円弧上に位置する複数の光源を支持する支持ボードを備え、
前記第１の円弧上に位置する光源は、前記支持ボードからの垂線に対して所定の角度を持って支持されることにより前記円弧の内側に向けて傾斜し、
前記第２の円弧上に位置する光源は、前記支持ボードからの垂線に対して所定の角度を持って支持されることにより前記円弧の外側に向けて傾斜することを特徴とする請求項４に記載の照明装置。
【請求項７】
前記複数の光源を覆い、前記複数の光源から放射される光ビームを拡散するための拡散カバーを備えたことを特徴とする請求項１又は４に記載の照明装置。
【請求項８】
前記拡散カバーは、前記複数の光源に対向配置された拡散シートを含むことを特徴とする請求項７に記載の照明装置。
【発明の詳細な説明】
【０００１】
【発明の属する技術分野】
この発明は、原稿画像を読み取る原稿読取装置等に適用されるものであり、原稿画像読取のために原稿画像を照らす照明装置に関する。
【０００２】
【従来の技術】
原稿画像を照らし、原稿画像からの反射光を受光し、反射光に反映された像を検知し、原稿画像を読み取る原稿読取装置が知られている。原稿画像を的確に読み取るためには、原稿画像を適切に照らすことが重要である。
【０００３】
【発明が解決しようとする課題】
原稿画像を適切に照らすために、複数方向から原稿画像を照らす方法が考えられる。しかし、複数方向から原稿を照らそうとし、光源を複数配置しようとすると、各光源を支える支持部材が必要となり、装置の小型化という面で不利になるという問題があった。
【０００４】
この発明の目的は、上記したような事情に鑑み成されたものであって、撮影対象を適切に照らすことが可能であり且つ小型化にも適した照明装置を提供することにある。
【０００５】
【課題を解決するための手段】
上記課題を解決し目的を達成するために、この発明の照明装置は、次のように構成されている。
【０００６】
この発明は、レンズにより読み取られる像を照らすためのものであり、前記レンズの周囲を部分的に取り囲む円弧状に形成された照明装置であって、前記レンズを取り囲む所定の円弧を中心としてジグザグに配置された複数の光源を備えている。
【０００７】
【発明の実施の形態】
以下、この発明の実施の形態について図面を参照して説明する。
【０００８】
図１は、この発明の一例の照明装置を適用した原稿読取装置の外観を示す図である。図１に示すように、原稿読取装置は、原稿テーブル１、ＰＣカードスロットカバー２、カメラヘッド３、カメラレンズ４、カメラフォーカスリング５、カメラアーム６、カメラ操作部７、及びカメラ照明部（照明装置）８などを備えている。
【０００９】
原稿テーブル１には、読取対象の原稿が載置される。ＰＣカードスロットカバー２は、ＰＣカードのスロットをカバーする。ＰＣカードを利用して、原稿読取装置とＰＣ等とを接続することができる。カメラヘッド３は、カメラレンズ４、カメラフォーカスリング５、及びカメラ照明部８を備えている。カメラレンズ４は、原稿テーブル１に載置された読取対象の原稿を読み取るためのレンズである。カメラフォーカスリング５は、カメラのフォーカス調整機構である。カメラアーム６は、カメラレンズ４と原稿テーブル１に載置された読取対象の原稿との位置関係を調整するためのアームである。カメラ操作部７は、カメラヘッド３による原稿読取に関する各種設定等の操作入力を受け付ける。カメラ照明部８は、原稿を読み取るため、原稿を照らすものである。
【００１０】
図２は、第１の実施形態のカメラヘッド３を示す図であり、カメラレンズ４側からカメラヘッド３を見た斜視図である。図３は、第１の実施形態のカメラヘッド３を示す図であり、カメラレンズ４側からカメラヘッド３を見た正面図である。
【００１１】
図２及び図３に示すように、カメラ照明部８は、カメラレンズ４の周囲を部分的に取り囲む円弧状に形成されている。カメラレンズ４に対して、カメラ照明部８は近接配置されている。カメラ照明部８はＬＥＤや放電管などの光源を備えている。光源の詳細については後に詳しく説明する。また、カメラ照明部８の面（原稿テーブル１に対向する面）と、カメラレンズ４の面（原稿テーブル１に対応する面）は、略同一平面上に位置している。仮に、カメラ照明部８がカメラレンズ４の周囲を完全に取り囲む円周状に形成されているとすると、カメラフォーカスリング５が非常に操作し辛くなってしまう。即ち、カメラ照明部８がカメラレンズ４の周囲を部分的に取り囲む円弧状に形成されているため、カメラフォーカスリング５の操作性を損なうことなく原稿を適切に照らすことができる。さらに、カメラ照明部８の小型化、軽量化、及びコストダウンを図ることもできる。なお、ここでは、カメラフォーカスリング５の操作性向上というメリットについて説明したが、同様にカメラレンズ４の周囲に配置されるズーム調整機構、絞り調整機構の操作性を向上させることもできる。
【００１２】
さらに、図３、図６〜図９を参照して、カメラ照明部８の詳細について説明する。なお、図６〜図９は、後述する第２の実施形態のカメラヘッド３を説明する図も兼ねている。カメラ照明部８は、基板７０を備えている。基板７０は、原稿を照らすためのＬＥＤなどの光源を支持する。基板７０には、光源接続部１０、２０、３０、４０、５０、６０が設けられている。光源接続部１０には光源（ヘッド）１１が接続され、光源接続部２０には光源（ヘッド）２１が接続され、光源接続部３０には光源（ヘッド）３１が接続され、光源接続部４０には光源（ヘッド）４１が接続され、光源接続部５０には光源（ヘッド）５１が接続され、光源接続部６０には光源（ヘッド）６１が接続される。
【００１３】
図８に示すように、光源（ヘッド）１１、２１、３１、４１、５１、６１の高さは均一化して配置されているが、図３、図６、図７に示すように、光源（ヘッド）１１、２１、３１、４１、５１、６１の向きはジグザグに配置されている。即ち、光源（ヘッド）１１、２１、３１、４１、５１、６１から放射される光ビームは、ジグザグ方向に放射されることになる。光ビームがジグザグ方向に放射されることにより、原稿を均一に照らすことができる。
【００１４】
ここで、図３、図６、図７、図９を参照して、光源のジグザグ配置の一例について説明する。説明にあたり、図３に示すように、円弧ａ１１、円弧ａ１２、及び円弧ａ１３を定義する。円弧ａ１１、円弧ａ１２、及び円弧ａ１３の中心は同一である。また、円弧ａ１２の半径より円弧ａ１１の半径が大きく、円弧ａ１１の半径より円弧ａ１３の半径が大きい。光源接続部１０、２０、３０、４０、５０、６０は、円弧ａ１１上に配置されている。これに対して、光源（ヘッド）１１、３１、６１が円弧ａ１２上に位置するように配置されており、光源（ヘッド）２１、４１、５１が円弧ａ１３上に位置するように配置されている。さらに、円弧ａ１２上に位置する光源（ヘッド）１１、３１、６１は、円弧ａ１３上に位置する光源（ヘッド）２１、４１、５１から円弧の中心Ｐに向けて引いた半径上から外れた場所に位置している。図６に示すように、円弧の中心と、光源接続部１０及び６０の中心のなす角は、例えば６５°である。円弧の中心Ｐと、光源接続部２０及び５０の中心のなす角は、例えば３９°である。円弧の中心Ｐと、光源接続部３０及び４０の中心のなす角は、例えば１３°である。
【００１５】
即ち、図９に示すように、光源（ヘッド）１１、２１、３１、４１、５１、６１は、基板７０からの垂線に対して所定の角度を持って支持されている。その角度は例えば、１５°±５°である。厳密に言うと、光源（ヘッド）１１、３１、６１は、円弧ａ１１の内側に向けて傾斜するように配置されている。光源（ヘッド）２１、４１、５１は、円弧ａ１１の外側に向けて傾斜するように配置されている。
【００１６】
以上説明したように、光源（ヘッド）１１、２１、３１、４１、５１、６１がジグザグに配置されていることにより、これら光源（ヘッド）から放射される光ビームがジグザグ方向に放射される。これにより、原稿を均一に照らすことができる。
【００１７】
図４は、第２の実施形態のカメラヘッド３を示す図であり、カメラレンズ４側からカメラヘッド３を見た斜視図である。図５は、第２の実施形態のカメラヘッド３を示す図であり、カメラレンズ４側からカメラヘッド３を見た正面図である。
【００１８】
図４及び図５に示すように、カメラ照明部８ａ及び８ｂは、カメラレンズ４の周囲を部分的に取り囲む円弧状に形成されている。カメラ照明部８ａ及び８ｂの基本構成はカメラ照明部８と実質的に同一である。従って、第１の実施形態のカメラヘッド３のカメラ照明部８と同様に、この第２の実施形態のカメラヘッド３のカメラ照明部８ａ及び８ｂは、カメラフォーカスリング５の操作性を損なうことなく原稿を適切に照らすことができる。さらに、カメラ照明部８の小型化、軽量化、及びコストダウンを図ることもできる。さらに、カメラレンズ４を挟み込むようにカメラ照明部８ａ及び８ｂが形成されているので、第１の実施形態のカメラヘッド３に比べて、この第２の実施形態のカメラヘッド３は、より適切に原稿を照らすことができる。
【００１９】
さらに、図５、図６〜図９を参照して、カメラ照明部８ａ及び８ｂの詳細について説明する。カメラ照明部８ａは、基板７０ａを備えている。基板７０ａは、原稿を照らすためのＬＥＤなどの光源を支持する。基板７０ａには、光源接続部１０ａ、２０ａ、３０ａ、４０ａ、５０ａ、６０ａが設けられている。光源接続部１０ａには光源（ヘッド）１１ａが接続され、光源接続部２０ａには光源（ヘッド）２１ａが接続され、光源接続部３０ａには光源（ヘッド）３１ａが接続され、光源接続部４０ａには光源（ヘッド）４１ａが接続され、光源接続部５０ａには光源（ヘッド）５１ａが接続され、光源接続部６０ａには光源（ヘッド）６１ａが接続される。
【００２０】
同様に、カメラ照明部８ｂは、基板７０ｂを備えている。基板７０ｂは、原稿を照らすためのＬＥＤなどの光源を支持する。基板７０ｂには、光源接続部１０ｂ、２０ｂ、３０ｂ、４０ｂ、５０ｂ、６０ｂが設けられている。光源接続部１０ｂには光源（ヘッド）１１ｂが接続され、光源接続部２０ｂには光源（ヘッド）２１ｂが接続され、光源接続部３０ｂには光源（ヘッド）３１ｂが接続され、光源接続部４０ｂには光源（ヘッド）４１ｂが接続され、光源接続部５０ｂには光源（ヘッド）５１ｂが接続され、光源接続部６０ｂには光源（ヘッド）６１ｂが接続される。
【００２１】
第１の実施形態のカメラヘッド３の照明部８の構成と、第２の実施形態のカメラヘッド３の照明部８ａの構成は実質的に同一である。即ち、基板７０は基板７０ａに対応する。光源接続部１０、２０、３０、４０、５０、６０は光源接続部１０ａ、２０ａ、３０ａ、４０ａ、５０ａ、６０ａに対応する。光源（ヘッド）１１、２１、３１、４１、５１、６１は、光源（ヘッド）１１ａ、２１ａ、３１ａ、４１ａ、５１ａ、６１ａに対応する。また、円弧ａ１１の中心Ｐに対して、照明部８ａと照明部８ｂは対照的な関係にある。即ち、基板７０ａは基板７０ｂに対応する。光源接続部１０ａ、２０ａ、３０ａ、４０ａ、５０ａ、６０ａは光源接続部１０ｂ、２０ｂ、３０ｂ、４０ｂ、５０ｂ、６０ｂに対応する。光源（ヘッド）１１ａ、２１ａ、３１ａ、４１ａ、５１ａ、６１ａは、光源（ヘッド）１１ｂ、２１ｂ、３１ｂ、４１ｂ、５１ｂ、６１ｂに対応する。
【００２２】
したがって、照明部８の光源と同様に、照明部８ａの光源（ヘッド）１１ａ、２１ａ、３１ａ、４１ａ、５１ａ、６１ａはジグザグに配置されており、これら光源（ヘッド）から放射される光ビームがジグザグ方向に放射される。これにより、原稿を均一に照らすことができる。また、照明部８ａの光源と同様に、照明部８ｂの光源（ヘッド）１１ｂ、２１ｂ、３１ｂ、４１ｂ、５１ｂ、６１ｂはジグザグに配置されており、これら光源（ヘッド）から放射される光ビームがジグザグ方向に放射される。これにより、原稿を均一に照らすことができる。
【００２３】
図１０は、光源を覆う拡散カバーの一例を示す図である。第１の実施形態のカメラヘッド３のカメラ照明部８は、拡散カバー８０により覆われている。即ち、拡散カバー８０は、光源（ヘッド）１１、２１、３１、４１、５１、６１を覆うように構成されている。拡散カバー８０は、拡散シート９０、拡散プリント面１００、及び接着面１１０を有する。拡散プリント面１００には、例えば、拡散部１０１、１０２、１０３、１０４がプリントされている。光源（ヘッド）１１、２１、３１、４１、５１、６１から放射される光ビームは、この拡散カバー８０（拡散部１０１、１０２、１０３、１０４）により拡散され原稿を照らす。この拡散カバー８０（拡散部１０１、１０２、１０３、１０４）により、原稿を均一に照らすことができる。
【００２４】
同様に、第２の実施形態のカメラヘッド３のカメラ照明部８ａは、拡散カバー８０ａにより覆われており、カメラ照明部８ｂは、拡散カバー８０ｂにより覆われている。拡散カバー８０ａ及び８０ｂの基本構成は、拡散カバー８０の基本構成と実質的に同一であり、詳細説明は省略する。
【００２５】
なお、上記において、カメラ照明部８、８ａ、８ｂが、カメラレンズ４の周囲を部分的に取り囲む円弧状に形成されていることについて説明したが、この発明のカメラ照明部は円弧状に限定されるものではない。また、上記において、光源が６個配置されているケースについて説明したが、この発明では光源の数は６個に限定されるものではない。
【００２６】
本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００２７】
【発明の効果】
この発明によれば、撮影対象を適切に照らすことが可能であり且つ小型化にも適した照明装置を提供できる。
【図面の簡単な説明】
【図１】この発明の一例の照明装置を適用した原稿読取装置の外観を示す図である。
【図２】第１の実施形態のカメラヘッドを示す図であり、カメラレンズ側からカメラヘッドを見た斜視図である。
【図３】第１の実施形態のカメラヘッドを示す図であり、カメラレンズ側からカメラヘッドを見た正面図である。
【図４】第２の実施形態のカメラヘッドを示す図であり、カメラレンズ側からカメラヘッドを見た斜視図である。
【図５】第２の実施形態のカメラヘッドを示す図であり、カメラレンズ側からカメラヘッドを見た正面図である。
【図６】第１及び第２の実施形態のカメラヘッドにおけるカメラ照明部に設けられた光源の配置を示す上面図である。
【図７】図６と同様に、第１及び第２の実施形態のカメラヘッドにおけるカメラ照明部に設けられた光源の配置を示す上面図である。
【図８】第１及び第２の実施形態のカメラヘッドにおけるカメラ照明部に設けられた光源の配置を示す側面図である。
【図９】第１及び第２の実施形態のカメラヘッドにおけるカメラ照明部に設けられた内側に傾いた光源と外側に傾いた光源の位置関係及び傾斜角を示す図である。
【図１０】光源を覆う拡散カバーの一例を示す図である。
【符号の説明】
１…原稿テーブル
２…ＰＣカードスロットカバー
３…カメラヘッド
４…カメラレンズ
５…カメラフォーカスリング
６…カメラアーム
７…カメラ操作部
８…カメラ照明部
１０、２０、３０、４０、５０、６０…光源接続部
１１、２１、３１、４１、５１、６１…光源（ヘッド）
７０…基板（支持ボード）
８０…拡散カバー
【図１】
0003593119.tif 000002
【図２】
0003593119.tif 000003
【図３】
0003593119.tif 000004
【図４】
0003593119.tif 000005
【図５】
0003593119.tif 000006
【図６】
0003593119.tif 000007
【図７】
0003593119.tif 000008
【図８】
0003593119.tif 000009
【図９】
0003593119.tif 000010
【図１０】
0003593119.tif 000011